(57)【特許請求の範囲】
【請求項１】
ゴーグル枠と、前記ゴーグル枠の内周部に形成された溝に着脱自在に嵌め込まれるゴーグルレンズを具備しており、前記ゴーグルレンズの上部に複数の通気孔を設けてあるゴーグルにおいて、左右サイド側の通気孔を中央部側の通気孔よりも大きくし、左右サイド側の通気孔近傍において、前記溝の底面とゴーグルレンズの外周縁との間に隙間を形成し、前記隙間を介してゴーグルレンズの内外を連通状態にしてあり、前記溝を構成する前後壁のうち少なくとも前壁に空気導入用の開口を設けてあり、前記開口は前記隙間と連通する態様で形成してあることを特徴とするゴーグル。
【請求項２】
ゴーグル枠と、前記ゴーグル枠の内周部に形成された溝に着脱自在に嵌め込まれるゴーグルレンズを具備しており、前記ゴーグルレンズの上部に複数の通気孔を設けてあるゴーグルにおいて、頬骨付近の上方と対応する位置に形成した通気孔は、他の位置に形成した通気孔よりも大きくし、左右サイド側の通気孔近傍において、前記溝の底面とゴーグルレンズの外周縁との間に隙間を形成し、前記隙間を介してゴーグルレンズの内外を連通状態にしてあり、前記溝を構成する前後壁のうち少なくとも前壁に空気導入用の開口を設けてあり、前記開口は前記隙間と連通する態様で形成してあることを特徴とするゴーグル。
【請求項３】
通気孔は、フィルタで塞いであることを特徴とする請求項１又は２記載のゴーグル。
【発明の詳細な説明】
【０００１】
【発明の属する技術分野】
この発明は、ゴーグル、特にスキーやスノーボートをするときに使用するゴーグルに関するものである。
【０００２】
【従来の技術】
この種のゴーグルには、スキーヤーの体温、発汗作用等によるゴーグルレンズ内面の曇りを防止すべくベンチーション部を設けてあるが、頬骨のあたりは最もゴーグルレンズ内面に近くなることから、頬骨と対応する部分（両サイド部分）において曇り生じることが多い。このため、近年、ゴーグルレンズの上部に複数の通気孔を穿設して成るベンチレーション部を具備させたものが市場に出回るようになってきた。
【０００３】
しかしながら、従来のものは、複数の通気孔が全て同じ大きさであるか又は、中央側の通気孔がサイドのそれよりも小さくしてあるため、運動量が多い今日のスキー競技等に使用した場合には両サイド部分において十分な防曇効果を得ることができないような状況もでてきた。
【０００４】
したがって、この種のゴーグルを製造・販売する業界では、ゴーグルレンズの両サイド部分においても十分に防曇効果を有するゴーグルを開発することに取り組んでいる。
【０００５】
【発明が解決しようとする課題】
そこで、この発明では、ゴーグルレンズの両サイド部分においても十分に防曇効果を有するゴーグルを提供することを課題する。
【０００６】
【課題を解決するための手段】
（請求項１記載の発明）
この発明は、ゴーグル枠と、前記ゴーグル枠の内周部に形成された溝に着脱自在に嵌め込まれるゴーグルレンズを具備しており、前記ゴーグルレンズの上部に複数の通気孔を設けてあるゴーグルにおいて、左右サイド側の通気孔を中央部側の通気孔よりも大きくしてある。
（請求項２記載の発明）
この発明は、ゴーグル枠と、前記ゴーグル枠の内周部に形成された溝に着脱自在に嵌め込まれるゴーグルレンズを具備しており、前記ゴーグルレンズの上部に複数の通気孔を設けてあるゴーグルにおいて、頬骨付近の上方と対応する位置に形成した通気孔は、他の位置に形成した通気孔よりも大きくしてある。
（請求項３記載の発明）
この発明のゴーグルは、上記請求項１又は２記載の発明に関し、通気孔は、フィルタで塞いである。
（請求項４記載の発明）
この発明のゴーグルは、上記請求項１乃至３のいずれかに記載の発明に関し、左右サイド側の通気孔近傍において、溝の底面とゴーグルレンズの外周縁との間に隙間を形成し、前記隙間を介してゴーグルレンズの内外を連通状態にしてある。
（請求項５記載の発明）
この発明のゴーグルは、上記請求項４記載の発明に関し、溝を構成する前後壁のうち少なくとも前壁に空気導入用の開口を設けてあり、前記開口は隙間と連通する態様で形成してある。
【０００７】
なお、上記した発明のゴーグルの機能については以下の発明の実施の形態の欄で説明する。
【０００８】
【発明の実施の形態】
以下、この発明を実施形態として示した図面に従って説明する。
【０００９】
図１はスキー用のゴーグルＧの正面図であり、図７は前記ゴーグルＧに使用されているゴーグルレンズ３を内レンズ板30側から見た図である。
【００１０】
このゴーグルＧは、図１や図２に示すように、ゴーグル枠１と、ゴーグル枠１に連結された伸縮弾性バンド２と、ゴーグル枠１に着脱自在に嵌着されたゴーグルレンズ３とを具備している。
【００１１】
以下に、このゴーグルＧの各構成について詳述する。
〔ゴーグル枠１について〕
ゴーグル枠１は弾性合成樹脂、ゴム等の軟質材から成り、図２や図３に示すように、レンズ嵌込縁1aと、顔面当座1bと、前記レンズ嵌込縁1aと顔面当座1bとを連絡する周壁部1cとから成り、レンズ嵌込縁1aにはゴーグルレンズ３が着脱自在に嵌め込まれている。
【００１２】
レンズ嵌込縁1aは、図３に示すように、ゴーグルレンズ３の外周縁が嵌まり込む溝10を設けてあり、前記溝10を構成する前後壁11, 12には、図４に示すように、ゴーグルの左右両サイドにおいて対向する通気用の開口13, 14を設けてある。なお、図４や図５に示すように、前記開口13, 14はそれぞれ切欠によりそれぞれ構成してあり、開口13, 14が形成されている付近の溝10の幅は広く（溝10の幅広部分を符号10ａで示す）してある。また、レンズ嵌込縁1aの下部前面分には、図１に示すように、構成壁に孔を設けてベンチレーション部12ｄを形成してあり、図６に示すように前記ベンチレーション部12ｄと対応する付近の溝10の幅は広く（溝10の幅広部分を符号10ｂで示す）してある。
【００１３】
顔面当座1bは、図２や図３に示すように、顔面との密接を良好なものとするためのスポンジ、モントプレーン等の密接用材15が貼着されている。
【００１４】
周壁部1cには、図２や図３に示すように、その上下部構成壁及び左右部構成壁に孔を設けてベンチレーション部12ａ，12ｂ，12ｃを形成してあり、前記ベンチレーション部12ａ，12ｂ，12ｃを厚みが薄いスポンジ板Ｓにより閉蓋するようにしてある。なお、ベンチレーション部12ａ，12ｂ，12ｃをスポンジ板Ｓにより閉蓋してあるのは空気以外の雪やゴミがゴーグル内部に侵入しないようにするためである。
〔伸縮弾性バンド２について〕
伸縮弾性バンド２は、図２に示すように、上記ゴーグル枠１の左右端に取り付けられたバンド主体20，20と、これらバンド主体20，20相互を連結するバックル21とから構成されている。なお、バンド主体20は伸縮自在に構成したものを使用している。
〔ゴーグルレンズ３について〕
ゴーグルレンズ３は、図３や図７に示すように、透明又は着色プラスチック製の二枚の内外レンズ板30, 31を間隔保持枠32を介して接着したダブルレンズ形式のものであり、その上域には、内外レンズ板30, 31に形成した孔30ａ, 31ａとこれを閉蓋するスポンジ板S1（課題を解決するための手段の欄に記載のフィルタに対応）から成るベンチレーション部3aを設けてある。なお、上記内レンズ板30における顔面との対向面には防曇処理を施してあり、外レンズ板32の表面側には紫外線がほぼカットされるように所謂ＵＶコート又はハードコートを施してある。また、孔30a, 31aにより形成される実質的な通気孔ｈは、中央部より左右サイド側に位置するもののほうを大きくしてある。
【００１５】
ここで、このゴーグルレンズ３では、外レンズ板31の外周縁が溝10に嵌まり込む部分となっており、この外周縁には、図４や図５に示す上記開口13, 14及び溝10の幅広部分10ａと対応する位置に凹み部33を、図３や図６に示す上記ベンチレーション部12ｄ及び溝10の幅広部分10ｂと対応する位置に凹み部34を、それぞれ形成している。
【００１６】
また、このゴーグルレンズ３では、図１に示すように、内レンズ板30における視界から外れた外縁付近に通気孔30ｈを形成してあり、前記通気孔30ｈを、水分の通過を阻止し且つ空気の通過を許容する撥水性通気シート35で塞いである。
〔このゴーグルの機能について〕
▲１▼  孔30a, 31aにより形成される実質的な通気孔ｈは、中央部より左右サイド側に位置するもののほうを大きくしてあるから、従来のゴーグルと比較して、ゴーグルレンズ３の両サイド部分においても十分な防曇効果を発揮する。
▲２▼  凹み部33の存在により、図４に示すように、ゴーグルレンズ３の外周縁と溝10の底との間に隙間ｇができ、しかも前記隙間ｇ及び溝10の幅広部分10ａが開口13, 14相互を連通状態にするから、外気は図３に示すルートでゴーグル内に流入する。
【００１７】
また、凹み部34の存在により、図３に示すように、ゴーグルレンズ３の外周縁と溝10の底との間に隙間ｇができ、しかも前記隙間Ｇ及び溝10の幅広部分10ｂがベンチレーション部12ｄとゴーグル内部相互を連通状態にするから、外気は図３に示すルートでゴーグル内に流入する。
【００１８】
上記した開口13, 14及びベンチレーション部12ｄは、図１に示すように、ゴーグル枠１の左右両サイドに設けられているから、上記した外気の流入によりゴーグルレンズ３の両サイド部分においても十分な防曇効果を発揮する。
〔その他〕
上記実施形態では溝10の幅広部分10ａ，10ｂを設けているが、隙間ｇが十分に大きい場合には設けなくてもよい。
【００１９】
また、この発明のゴーグルの構成は、スキー用ゴーグルに限定されるものではなく、他の用途に使用されるゴーグルにも採用できる。
【００２０】
【発明の効果】
この発明は上記のような構成であるから次の効果を有する。
【００２１】
発明の実施の形態の欄から明らかなように、ゴーグルレンズの両サイド部分においても十分に防曇効果を有するゴーグルを提供できた。
【図面の簡単な説明】
【図１】この発明の実施形態のゴーグルの正面図。
【図２】前記ゴーグルの背面図。
【図３】図１のＡ−Ａ断面図。
【図４】前記ゴーグルにおけるゴーグル枠に形成した開口部付近の拡大図。
【図５】前記ゴーグル枠に形成した開口部付近を下から見た図。
【図６】前記ゴーグル枠の下部に形成したベンチレーション付近を上から見た図。
【図７】前記ゴーグルに使用されているゴーグルレンズの背面図。
【符号の説明】
Ｇ        ゴーグル
ｈ        通気孔
S1        スポンジ板
ｇ        隙間
１        ゴーグル枠
２        伸縮弾性バンド
３        ゴーグルレンズ
10        溝
11        前壁
12        後壁
13        開口
14        開口
【図１】
0004378584.tif 000002
【図２】
0004378584.tif 000003
【図３】
0004378584.tif 000004
【図４】
0004378584.tif 000005
【図５】
0004378584.tif 000006
【図６】
0004378584.tif 000007
【図７】
0004378584.tif 000008